(57)【要約】【課題】水上や高所であっても迅速かつ安全にコンクリート構造物を構築することが可能な型枠支保装置を提供する。【解決手段】杭１の上端周辺にコンクリートを打設する際の型枠を支持する型枠支保装置２０である。  そして、杭の頭部１ａを横断して載置させる受け部材２と、杭の側方に突出された受け部材の両端から垂下される上部鋼棒３１と、上部鋼棒の下端に着脱自在に連結される下部鋼棒３３と、下部鋼棒を挿通させる鞘管４１を介して下部鋼棒に支持されるブラケット部４と、ブラケット部と上下方向に延設される長穴４３ａを介してボルト接合される支保受け部４３と、支保受け部に支持される支保部材５とを備えている。【選択図】図１
2010007365.tif 000002
【特許請求の範囲】
【請求項１】
柱状部材の上端周辺にコンクリートを打設する際の型枠を支持する型枠支保装置であって、
前記柱状部材の頭部を横断して載置させる受け部材と、前記柱状部材の側方に突出された前記受け部材の両端から垂下される上部鋼棒と、前記上部鋼棒の下端に着脱自在に連結される下部鋼棒と、前記下部鋼棒を挿通させる鞘管を介して前記下部鋼棒に支持されるブラケット部と、前記ブラケット部と上下方向に延設される長穴を介してボルト接合される支保受け部と、前記支保受け部に支持される支保部材とを備えたことを特徴とする型枠支保装置。
【請求項２】
下面縁部にハンチが形成されるコンクリート床を成形する型枠装置であって、
床下面側の平面を成形する平面部材と、前記平面部材の縁部に設けられる平面側枠材と、前記平面側枠材に並設されるハンチ側縁材と、前記ハンチ側縁材から延出されて前記ハンチの下面を成形するとともに前記平面部材とは縁切りされた可動ハンチ面部材と、前記平面側枠材と前記ハンチ側縁材との間に挟持されるとともに係留ロープによって係留されるスペーサ材と、前記平面側枠材と前記ハンチ側縁材との間隔を調整する調整手段とを備えたことを特徴とする型枠装置。
【発明の詳細な説明】
【技術分野】
【０００１】
本発明は、桟橋やケーソンなどの水上構造物又は橋梁などのように、型枠の設置が困難な場所での使用に適した型枠支保装置、及び型枠装置に関するものである。
【背景技術】
【０００２】
従来、桟橋や人工島などの水上構造物の床版や梁をコンクリートで構築する際に、様々な構築方法が提案されている（特許文献１，２など参照）。
【０００３】
すなわち、コンクリート床版を構築するには、型枠を底面側に設置しなければならないが、水上ではこのような型枠を支持させる支保工の設置が難しく、迅速かつ安全に工事をおこなうための装置、及び構築方法が開発されている。
【特許文献１】特開平８−２７７５１４号公報
【特許文献２】特開２００２−１４６７６０号公報
【発明の開示】
【発明が解決しようとする課題】
【０００４】
しかしながら、水上構造物にも色々な構造があり、それらの構造に最も適した、簡素で使い勝手の良い装置の開発が望まれている。
【０００５】
特に、水上構造物の構築であっても、陸上工事と同様に作業できるものであれば、波浪などの影響を受け難く、迅速、かつ、確実に工事を進めることができる。
【０００６】
そこで、本発明は、水上や高所であっても迅速かつ安全にコンクリート構造物を構築することが可能な型枠支保装置及び型枠装置を提供することを目的としている。
【課題を解決するための手段】
【０００７】
前記目的を達成するために、本発明の型枠支保装置は、柱状部材の上端周辺にコンクリートを打設する際の型枠を支持する型枠支保装置であって、前記柱状部材の頭部を横断して載置させる受け部材と、前記柱状部材の側方に突出された前記受け部材の両端から垂下される上部鋼棒と、前記上部鋼棒の下端に着脱自在に連結される下部鋼棒と、前記下部鋼棒を挿通させる鞘管を介して前記下部鋼棒に支持されるブラケット部と、前記ブラケット部と上下方向に延設される長穴を介してボルト接合される支保受け部と、前記支保受け部に支持される支保部材とを備えたことを特徴とする。
【０００８】
また、本発明の型枠装置は、下面縁部にハンチが形成されるコンクリート床を成形する型枠装置であって、床下面側の平面を成形する平面部材と、前記平面部材の縁部に設けられる平面側枠材と、前記平面側枠材に並設されるハンチ側縁材と、前記ハンチ側縁材から延出されて前記ハンチの下面を成形するとともに前記平面部材とは縁切りされた可動ハンチ面部材と、前記平面側枠材と前記ハンチ側縁材との間に挟持されるとともに係留ロープによって係留されるスペーサ材と、前記平面側枠材と前記ハンチ側縁材との間隔を調整する調整手段とを備えたことを特徴とする。
【発明の効果】
【０００９】
このように構成された本発明の型枠支保装置は、柱状部材の頭部を横断させた受け部材によって支持されるブラケット部を備え、支保部材を支持させる支保受け部は、上下方向に延設された長穴を介してブラケット部にボルト接合されている。
【００１０】
このため、下方から足場を組み上げて支保部材を支持させる必要がないので、水上や高所であっても迅速かつ安全にコンクリート構造物を構築することができる。また、長穴の範囲で支保受け部をスライドさせることで、型枠を容易に脱型することができる。
【００１１】
また、本発明の型枠装置は、ハンチの下面を成形する可動ハンチ面部材が平面部材と縁切りされており、調整手段によって平面側枠材とハンチ側縁材との間隔を広げると、これらの間に挟持されたスペーサ材が外れて、可動ハンチ面部材が下方に傾く。
【００１２】
このため、ハンチが形成されるコンクリート床の下面から容易に型枠を脱型することができる。また、スペーサ材は係留ロープによって係留されているので、型枠装置から離れて落下してしまうことがない。
【発明を実施するための最良の形態】
【００１３】
以下、本発明の最良の実施の形態について図面を参照して説明する。
【００１４】
図１は、本実施の形態の型枠支保装置２０を柱状部材としての杭１の頭部１ａに支持させた状態を示した図である。
【００１５】
この杭１は、例えば図６に示すように水中に複数本が立設されて、その上端周囲にコンクリートによって杭周部１１、梁部１２，１３、コンクリート床などが形成されることによって桟橋が構築される。
【００１６】
また、この型枠支保装置２０は、杭周部１１及び梁部１２，１３を構築する際の型枠を支持する支保工となる装置であって、図１に示すように、杭１の頭部１ａを横断して載置させる受け部材２と、杭１の側方に突出された受け部材２の両端から垂下される上部鋼棒３１と、上部鋼棒３１の下端に螺着されるカプラ３２と、カプラ３２に上端が連結される下部鋼棒３３と、下部鋼棒３３を挿通させる鞘管４１を介して下部鋼棒３３に支持されるブラケット部４と、ブラケット部４と上下方向に延設される長穴４３ａを介してボルト４４によって接合される支保受け部４３と、支保受け部４３に支持される支保部材５とを備えている。
【００１７】
この受け部材２は、図１のＡ−Ａ矢視方向で見た端面図である図２（ａ）に示すように、鋼管などによって構成される杭１の頭部１ａに平行に架け渡される２本一組の横架材２１，・・・と、各組の横架材２１，２１の両端をそれぞれ連結する支圧板２２，２２と、２組の横架材２１，・・・間を両端と中央で連結する連結材２３，２３及び連結プレート２４と、杭１の内径の大きさに合わせて下方に向けて突設されるストッパ２５，・・・とによって主に構成される。
【００１８】
この受け部材２は、杭１の頭部１ａに載置されると、４箇所に設けられたストッパ２５，・・・が杭１の内面に当接して位置が規制されるので、受け部材２が所定の位置に配置されることになる。すなわち、支圧板２２，・・・の上部鋼棒３１，・・・を挿通させる穴（図示省略）は、杭１の側方に突出した位置に配置される。
【００１９】
そして、この支圧板２２に上部鋼棒３１の上端が固定される。すなわち、各組の横架材２２，２２は、上部鋼棒３１の直径と略同じ間隔を開けて並設されており、その間を通って配置される上部鋼棒３１の上端には、図１に示すようにナット３１ａが螺着され、受け部材２に対して着脱自在に上部鋼棒３１が固定される。
【００２０】
この上部鋼棒３１は、杭１の側面に沿って垂下され、その下端に内周面にネジ溝が刻設されたカプラ３２が螺着される。また、このカプラ３２は、杭１の上端周囲にコンクリートによって形成される杭周部１１の下面の位置とカプラ３２の下面の位置が略面一になるような位置に配置される。
【００２１】
また、下部鋼棒３３の上端もこのカプラ３２のネジ溝に螺着されるが、下部鋼棒３３とカプラ３２は溶接によって固着され、下部鋼棒３３を回すとカプラ３２が回転して上部鋼棒３１から外れることになる。
【００２２】
さらに、この下部鋼棒３３には、鞘管４１を通って下方に突出された位置にナット３３ａが螺着されており、このナット３３ａで鞘管４１の下端を受けることによってブラケット部４が下部鋼棒３３に支持される。
【００２３】
このブラケット部４は、鞘管４１と、その側面から側方に張り出される張出部４２とから主に構成されている。このブラケット部４は、図１のＢ−Ｂ矢視方向で見た断面図である図２（ｂ）に示すように、杭１側の端部が２本の鞘管４１，４１に接合されている。また、上面は水平に形成されて、複数のボルト４４，・・・を螺着させる穴（図示省略）が設けられている。
【００２４】
そして、ブラケット部４とボルト接合される支保受け部４３には、上下方向に延設される長穴４３ａ，４３ａと、図５（ｂ）に示すようなボルト穴４３ｂ，・・・が設けられる。
【００２５】
さらに、この支保受け部４３の上面は平面状に成形されており、その上に支保部材５の下端が載置される。この支保部材５は、図１，４に示すように、支保受け部４３，４３の上面に載置させる脚部５１，５１と、その脚部５１，５１間に架け渡される支保梁５２とによって構成されており、この支保梁５２の上に型枠が載置されて、型枠を下方から支持することになる。
【００２６】
次に、本実施の形態の型枠支保装置２０の使用方法について説明する。
【００２７】
まず、上述した型枠支保装置２０のうち支保部材５の除いたものを工場又は製作ヤードにおいて製作する。
【００２８】
そして、図３に示すように、クレーンのフック６１に引っ掛けた吊りワイヤ６２によって杭１の上方に吊り下げ、杭１の頭部１ａに向けて吊り降ろす（図３の矢印参照）。
【００２９】
そして、図４に示すように、一方の杭１に配置されたブラケット部４とその杭１に隣接する杭１に配置されたブラケット部４との支保受け部４３，４３間に、支保部材５の両端の脚部５１，５１を載置することで、杭１，１間に型枠及び足場の支持構造を設ける。
【００３０】
この支保部材５には、杭１の上端周辺にコンクリートによって設けられる杭周部１１の下面を成形する底面型枠５３が載置される。また、杭１，１間に設けられる梁部１２の下面を成形する梁型枠５４が支保部材５の支保梁５２の上に載置される。なお、梁部１２などの上面からは、床を構築するための鉄筋１２ａ，・・・が突出されている。
【００３１】
そして、底面型枠５３及び梁型枠５４上に打設されたコンクリートが硬化して自立可能になった後に、これらの型枠を脱型するために型枠支保装置２０による支持を解除することになる。
【００３２】
図５（ａ）は、型枠支保装置２０の支保部材５によって型枠が支持されている状態を示している。この状態では、ボルト穴４３ｂ，・・・に螺入されたボルト４４，・・・によって支保受け部４３がブラケット部４にボルト接合されている。また、長穴４３ａ，４３ａには、その下端にボルト４４，４４が締結されている。すなわち、この状態では、支保受け部４３は、最も高い位置に配置されている。
【００３３】
そして、コンクリートが硬化して支保部材５にほとんど荷重が作用しなくなった状態で、図５（ｂ）に示すように、ボルト穴４３ｂ，・・・からボルト４４，・・・を外し、長穴４３ａ，４３ａのボルト４４，４４を緩めると、支保部材５の重みで支保受け部４３が矢印の方向に下がり、長穴４３ａ，４３ａの上端にボルト４４，４４が引っ掛かる。これによって、支保受け部４３の長穴４３ａの範囲（長さ）を超えた降下は阻止されることになる。
【００３４】
このようにして型枠の下面から支保部材５の上面が離れると、容易に型枠を脱型することができる。また、このような使用後の型枠支保装置２０は、撤去して、他の箇所で型枠支保装置２０として再利用することができるので、図６を参照しながら撤去の工程について説明する。
【００３５】
まず、構築された梁部１３にチェーン６３を掛け、そのチェーン６３に連結されたチェーンブロック６４を調整して支保部材５の端部を吊る。また、この際、支保部材５と支保受け部４３とが分離しないように、チェーン６６とチェーンブロック６７とによって結束する。
【００３６】
このようにして吊り下げる準備が整った型枠支保装置２０に対して、上部鋼棒３１のナット３１ａを外して受け部材２を杭１の頭部１ａから撤去する。
【００３７】
また、鞘管４１の下方に位置する下部鋼棒３３のナット３３ａを回すと、杭周部１１に埋設された上部鋼棒３１からカプラ３２と下部鋼棒３３が外れ、チェーン６３から吊り下げられた状態になる。
【００３８】
そこで、フック６１に吊り下げられた吊りワイヤ６２の下端に支保部材５を連結し、吊りワイヤ６２によって共吊りする。
【００３９】
そして、チェーンブロック６４を緩めるとともにフック６１を下げることで支保部材５を下方に配置した台船６５に吊り降ろし、台船６５に撤去された型枠支保装置２０を積載させて所定の場所まで運搬する。
【００４０】
次に、本実施の形態の型枠支保装置２０の作用について説明する。
【００４１】
このように構成された本実施の形態の型枠支保装置２０は、杭１の頭部１ａを横断させた受け部材２によって支持されるブラケット部４を備え、支保部材５を支持させる支保受け部４３は、上下方向に延設された長穴４３ａ，４３ａとボルト穴４３ｂ，・・・を介してブラケット部４にボルト４４，・・・によって接合されている。
【００４２】
このため、水上に構築される桟橋のように下方から足場を組み上げて支保部材５を支持させることが困難な現場であっても、迅速かつ安全にコンクリート製の杭周部１１、梁部１２，１３などの構造物を構築することができる。
【００４３】
また、水面より上方に型枠支保装置２０を設置することで、波浪などの影響を受けることなく、陸上工事と同様に、迅速、かつ、確実に工事を進めることができる。
【００４４】
また、長穴４３ａ，４３ａの範囲で支保受け部４３を上下にスライドさせることで、容易に型枠から支保部材５を切り離すことができるので、型枠の脱型を簡単におこなうことができる。
【実施例】
【００４５】
以下、この実施例では、前記した実施の形態とは別の実施の形態について、図７−図１０を参照しながら説明する。なお、前記実施の形態で説明した内容と同一乃至均等な部分の説明については同一符号を付して説明する。
【００４６】
この実施例では、杭１，１間にコンクリート床１４を構築するための型枠装置７について説明する。
【００４７】
このコンクリート床１４は、図７に示すように板状の平面部１４ａと、その下面縁部にテーパ状に形成されるハンチ部１４ｂ（ハンチ）とを備えている。また、このハンチ部１４ｂは、図８の底面図に示すように、長方形状のコンクリート床１４の外縁に沿って全周に形成される。
【００４８】
この型枠装置７は、このようなハンチ部１４ｂが下面縁部に形成されるコンクリート床１４の下面を成形する型枠であって、平面部１４ａの床下面側を成形する平面部材７１と、一部のハンチ部１４ｂの下面を成形するハンチ面部材としての可動ハンチ面部材７２と、残りのハンチ部１４ｂの下面を成形する不動ハンチ面部材７７とを備えている。
【００４９】
この可動ハンチ面部材７２に隣接する平面部材７１の縁部には、図１０（ａ）に示すように鋼板などで平面側枠材７１ａが設けられ、その平面側枠材７１ａと間隔を置いてハンチ側縁材７２ａが並設される。
【００５０】
また、このハンチ側縁材７２ａとハンチ部１４ｂの下端側に配置される下縁材７２ｂとの間には、可動ハンチ面部材７２が形成され、可動ハンチ面部材７２と平面部材７１との間には縁切り部７５が介在されて、両者は接合されることなく縁切りされている。
【００５１】
さらに、平面側枠材７１ａとハンチ側縁材７２ｂとの間は、調整手段としての調整ボルト７４と調整ナット７４ａとによって、間隔の調整が可能となるように連結されている。
【００５２】
また、この平面側枠材７１ａとハンチ側縁材７２ａとの間には、係留ロープ７３ａによって係留されたスペーサ材７３が挟持される。このスペーサ材７３は、平面側枠材７１ａとハンチ側縁材７２ａとの間隔が狭くなるとその間に挟持され、間隔がスペーサ材７３の幅より広くなると、その間から抜け落ちる。ここで、このスペーサ材７３は、係留ロープ７３ａによって可動ハンチ面部材７２の下面側に連結されているので、平面側枠材７１ａとハンチ側縁材７２ａとの間から抜け落ちても落下することはない。
【００５３】
次に、本実施例の型枠装置７の使用方法について説明する。
【００５４】
まず、図９に示すように、梁部１３に支持ブラケット８をアンカー（図示省略）などによって固定する。そして、支保桁８１に架け渡されてチェーン７８で結束された支保梁８２の上に型枠装置７を取り付けた状態で吊り上げ、型枠装置７の下端に取り付けられた受け金物７６を支持ブラケット８の縦枠８ａの上端に載置するとともに、支保桁８１を支持ブラケット８のアーム８ｂの上面に載置する。
【００５５】
そして、設置された型枠装置７の上方にコンクリートを打設し、図７に示すようなコンクリート床１４を構築する。また、このコンクリート床１４には、厚さ方向に貫通する箱抜き部１４ｃ，・・・を設けておき、型枠装置７を脱型する際に、この箱抜き部１４ｃ，・・・を利用して吊りワイヤ６２で型枠装置７を吊り下げる。なお、型枠装置７は、支保梁８２に接続された長ボルト（図示省略）を使用して、コンクリート床１４上に設置した受け桁６２a，６２aによって仮受けさせることができる。
【００５６】
ここで、この型枠装置７は、図８に示すように、長方形状のコンクリート床１４の直交する２辺に可動ハンチ面部材７２，７２が配置され（二点鎖線で囲まれた範囲）、残りの２辺は不動ハンチ面部材７７，７７が配置されている。
【００５７】
そして、コンクリートが硬化した後に、図１０（ｂ）に示すように、調整ナット７４ａ，７４ａを緩めると、平面側枠材７１ａとハンチ側縁材７２ａとの間隔が広がってスペーサ材７３，７３が抜け落ち、矢印の方向に可動ハンチ面部材７２が傾くことになる。
【００５８】
この状態を断面で見ると図７に示すようになるが、平面部材７１の一方の縁部の可動ハンチ面部材７２が下方に傾くと、不動ハンチ面部材７７がハンチ部１４ｂに密着していても、型枠装置７全体の拘束が弱くなるので、そのまま容易にコンクリート床１４の下面から型枠装置７を脱型でき、吊りワイヤ６２で吊り下げて台船６５に積載し、所定の場所まで運搬することができる。
【００５９】
次に、本実施例の型枠装置７の作用について説明する。
【００６０】
このように構成された型枠装置７は、ハンチ部１４ｂの下面を成形する可動ハンチ面部材７２が平面部材７１と縁切りされており、調整ボルト７４の調整ナット７４ａを緩めると、平面側枠材７１ａとハンチ側縁材７２ａとの間に挟持されたスペーサ材７３が外れて、可動ハンチ面部材７２が下方に傾く。
【００６１】
このため、ハンチ部１４ｂが形成されるコンクリート床１４の下面から容易に型枠装置７を脱型することができる。また、スペーサ材７３は係留ロープ７３ａによって型枠装置７に係留されているので、落下してしまうことがない。
【００６２】
なお、他の構成及び作用効果については、前記実施の形態と略同様であるので説明を省略する。
【００６３】
以上、図面を参照して、本発明の最良の実施の形態を詳述してきたが、具体的な構成は、この実施の形態又は実施例に限らず、本発明の要旨を逸脱しない程度の設計的変更は、本発明に含まれる。
【００６４】
例えば、前記実施の形態及び実施例では、水上構造物である桟橋の構築に型枠支保装置２０及び型枠装置７を使用する場合について説明したが、これに限定されるものではなく、橋梁などの高所に構築されるコンクリート構造物に対しても本発明の型枠支保装置２０及び型枠装置７を使用することができる。
【００６５】
また、前記実施の形態では、支保受け部４３に長穴４３ａを設けたが、これに限定されるものではなく、ブラケット部４側の張出部４２に上下方向に延設される長穴を設けることもできる。
【００６６】
さらに、前記実施例では、可動ハンチ面部材７２を平面部材７１の片側にだけ設け、他方は不動ハンチ面部材７７としたが、これに限定されるものではなく、平面部材７１の両側に可動ハンチ面部材７２，７２を設けてもよい。
【図面の簡単な説明】
【００６７】
【図１】本発明の最良の実施の形態の型枠支保装置の構成を説明する正面図である。
【図２】型枠支保装置の構成を説明する図であって、（ａ）は図１のＡ−Ａ矢視方向で見た端面図、（ｂ）は図１のＢ−Ｂ矢視方向で見た断面図である。
【図３】型枠支保装置を設置する工程を説明する説明図である。
【図４】杭間に設置される型枠支保装置とそれに支持される型枠の構成を説明する説明図である。
【図５】型枠支保装置を解体する工程を説明する図であって、（ａ）は支保部材による支持がおこなわれている状態を示した説明図、（ｂ）は支保受け部を降下させた状態を示した説明図である。
【図６】杭間に設置される型枠支保装置を撤去する工程を説明する説明図である。
【図７】コンクリート床の下面側から実施例の型枠装置を撤去する工程を説明する説明図である。
【図８】コンクリート床の下面に型枠装置を配置した構成を下面側から見た底面図である。
【図９】型枠装置の支持構造を説明する斜視図である。
【図１０】型枠装置を脱型する工程を説明する図であって、（ａ）は可動ハンチ面部材が固定されている状態を示した説明図、（ｂ）は可動ハンチ面部材が下方に傾いた状態を示した説明図である。
【符号の説明】
【００６８】
１            杭（柱状部材）
１ａ          頭部
１１          杭周部（柱状部材の上端周辺のコンクリート）
１４          コンクリート床
１４ａ        平面部（平面）
１４ｂ        ハンチ部（ハンチ）
２０          型枠支保装置
２            受け部材
３１          上部鋼棒
３３          下部鋼棒
４            ブラケット部
４１          鞘管
４３          支保受け部
４３ａ        長穴
４４          ボルト
５            支保部材
７            型枠装置
７１          平面部材
７１ａ        平面側枠材
７２          可動ハンチ面部材
７２ａ        ハンチ側縁材
７４          調整ボルト（調整手段）
７４ａ        調整ナット（調整手段）
７５          縁切り部
【図１】
2010007365.tif 000003
【図２】
2010007365.tif 000004
【図３】
2010007365.tif 000005
【図４】
2010007365.tif 000006
【図５】
2010007365.tif 000007
【図６】
2010007365.tif 000008
【図７】
2010007365.tif 000009
【図８】
2010007365.tif 000010
【図９】
2010007365.tif 000011
【図１０】
2010007365.tif 000012